(57)【要約】特に乳児および小さな子供の哺乳瓶であって、開口と開口周りに雄ねじを有する瓶と、固定エッジを備えた乳房キャリアを有し、当該乳房キャリア上で側面に飲用孔を有する乳首と、瓶開口に乳首を取り付けるために乳首の固定エッジとの連結手段としての雄ねじにねじ込む雌ねじを有するリングナットと、前記乳首に着座可能なカバーキャップを備え、当該カバーキャップは、その着座位置で飲用孔を有する乳房の側面に対して側壁の内側で押圧してシールを形成するとともに、その底部の内側で乳房の側面の反対側を押圧し、固定エッジの中心軸に対して鋭角に位置合わせされている。【選択図】図１
2011527585.tif 000002
【特許請求の範囲】
【請求項１】
特に乳児および小さな子供の哺乳瓶であって、以下の構成を有する、
開口と開口周りに雄ねじを有する瓶と、
固定エッジ（５）を備えた乳房キャリア（２）を有し、当該乳房キャリア（２）上で側面（１１）に飲用孔（１３）を有する乳首（１）と、
瓶開口に乳首（１）を取り付けるために乳首（１）の固定エッジ（５）との連結手段としての雄ねじにねじ込む雌ねじ（１８）を有するリングナット（１６）と、
前記乳首（１）に着座可能なカバーキャップ（２２）を備え、当該カバーキャップ（２２）は、その着座位置で飲用孔（１３）を有する乳房（６）の側面（１１）に対して側壁（２３）の内側で押圧してシールを形成するとともに、その底部（２５）の内側で乳房（６）の側面（１２）の反対側を押圧し、固定エッジ（５）の中心軸（９）に対して鋭角に位置合わせされている。
【請求項２】
請求項１に記載の哺乳瓶において、
前記乳房（６）は、飲用孔（１３）を有する一方の側面（１１）に比較的に大きいまたは小さい曲率半径を有する外向きアーチ型であり、および／または、反対側の側面に略平坦または比較的大きい曲率半径を有する凹入アーチ型であり、かつ、当該乳房（６）は、両側壁の間で相対的に小さい曲率半径を有する。
【請求項３】
請求項１または２に記載の哺乳瓶において、
前記飲用孔（１３）は、固定エッジの中心軸（９）から間隔をおいて対向配置される乳房（６）の側面（１１）に配置されている。
【請求項４】
請求項１ないし３に記載の哺乳瓶において、
前記カバーキャップ（２２）は、円錐形の側壁（２３）および／または杯形底部（２５）を有する。
【請求項５】
請求項１ないし４のいずれかに記載の哺乳瓶において、
前記リングナット（１６）とカバーキャップ（２２）は、リングナット（１６）にカバーキャップ（２２）を係止するための相互に作用する錠締め要素（２１、２４）を有する。
【請求項６】
請求項１ないし５のいずれかに記載の哺乳瓶において、
前記飲用孔（１３）の軸が、カバーキャップ（２２）の側壁（２３）に略垂直に位置合わせされている。
【請求項７】
請求項１ないし６のいずれかに記載の哺乳瓶において、
前記飲用孔を有する側壁（１１）は、接触する側壁（２３）の内側よりも小さい曲率半径を有し、および／または、反対側の側面（１２）は、当該側面を押圧する底部（２５）の内側よりも大きい曲率半径を有する。
【請求項８】
請求項１ないし７のいずれかに記載の哺乳瓶において、
前記乳首（１）の乳首キャリア（２）が、ベローズおよびフードの形状である。
【請求項９】
請求項１ないし８のいずれかに記載の哺乳瓶において、
乳房キャリア（２）は、中心軸（９）周りに溝（２９）を有する。
【請求項１０】
請求項１ないし９のいずれかに記載の哺乳瓶において、
前記乳首（１）は、セキュリティ・スレッド（２７）を有し、当該セキュリティ・スレッドは、固定エッジ（５）から乳房（６）の先端に伸びている。
【請求項１１】
請求項１０に記載の哺乳瓶において、
前記セキュリティ・スレッド（２７）は、固定エッジ（５）から飲用孔（１３）まで伸びている。
【請求項１２】
請求項１ないし１１のいずれかに記載の哺乳瓶において、
前記リングナット（１６）は、固定エッジ（５）を瓶の開口端に圧接するために内向きに突出した環状フランジ（１９）と、乳首（１）の乳房（６）および乳首キャリア（２）を挿入するための中央挿入開口（２０）を有する。
【請求項１３】
請求項１ないし１２のいずれかに記載の哺乳瓶において、
前記乳首（１）は、リングナット（１６）を有する固定エッジ（５）に、堅く接合される。
【請求項１４】
請求項１３に記載の哺乳瓶において、
前記セキュリティ・スレッド（２７）は、リングナット（１６）によって堅く接合される。
【発明の詳細な説明】
【技術分野】
【０００１】
本発明は、瓶、乳首、瓶開口端に乳首を固定するリングナットおよびカバーキャップを備えた哺乳瓶であって、リングナットの設置に関する。
【背景技術】
【０００２】
哺乳瓶は、特に小児にミルクおよび他の流動食を提供するために用いる。周知の哺乳瓶は瓶および乳首を有し、当該乳首は、リングナットによって当該瓶の開口周りの雄ねじに固定される。カバーキャップは、リングナットに着座させることができる。ワッシャまたは乳首のエッジは、リングナットと瓶開口端の間に固定され、シールを構成する。この種の手段は、誤って食物が漏れるのを防止する。この種の哺乳瓶は、ＤＥ３３３７２４８Ａ１に記載されている。
【０００３】
ＣＨ２６１５０１Ａ、ＵＳ５，４１９，４４５ＡおよびＵＳ２，５７９，１９４Ａは、乳首とカバーキャップを有する哺乳瓶を開示し、適所にカバーキャップを着座したとき、乳房中央の飲用孔上にカバーキャップの底部内側をはめ込む。キャップの底部は、内部で凹入湾曲されており、中央飲用孔を有する乳房は、シールを構成する当該凹入湾曲に対向している。
【０００４】
ＷＯ９９／０３４４２Ａ１は、カバーキャップと乳首の間の空間を無くすために乳首の外形に適合させたカバーキャップが開示されている。ミルクの漏れを防止するために、上部でカバーキャップの内側は、乳首先端の飲用孔を密封する。食物を引き出すために、カバーキャップの一部は、切り取り条片を破って開けることにより、本体から切り離される。このカバーは、使い捨て用途にのみ適している。一旦切り取られたカバーキャップは、シールを構成するために、再度所定位置に戻すことができない。
【０００５】
ＥＰ０５２７０９４Ａ１は、キャップ付き哺乳瓶を開示し、当該キャップは、リングナットの外側の溝に嵌めることができる。キャップは軟質隔膜を含み、それはキャップの底に配置されたスリーブとし取り外せないよう固定されている。キャップをリングナットに着座したとき、膜は弾性があり、乳首の飲用孔を密封する。キャップは、高コストおよび掃除するのが困難である。歯科矯正学的に成形された乳首にとって、飲用孔は乳房の頭部の側面に配置され、乳首の軸に鋭角に位置合わせされる。膜は、ある程度アーチ型にされた後、飲用孔に対して取り付けられて当該飲用孔を密封する。乳首の開口端に対する膜の接触圧力は結果的にわずかである。その結果、漏れが生じることがある。
【０００６】
ＤＥ９２１４４３８Ｕ１およびＤＥ９３１８６９９Ｕ１ は、乳首の高さよりも高さの低いカバーキャップ付きの乳児瓶を開示する。したがって、カバーキャップは、チャンバの底部を乳首の飲用孔に押圧して密閉する。その際、歯科矯正学的に成形された乳首は、目に付くほどに変形され、その結果、変形端部で乳首側面に配置された飲用孔は、中心軸に対して傾斜し、キャップ底部に対してそのエッジが横たわる。当該部分で生じる密封力は、比較的弱く、漏れが生じる。
【０００７】
ＤＥ２０００９８７３Ｕ１は、柔軟な乳首を有する乳児瓶を開示し、それは飲用孔周りに圧縮部を有する。可撓性のあるキャップは係合セクションを有し、その上側内部で圧縮部に相当する形状に構成されている。キャップが保持リングに着座したとき、後者が規定量まで沈むので、係合セクションは圧縮部を押圧することができる。その結果、容器に含まれる液体は、乳首の飲用孔から漏れるのを効果的に防止する。この構造は、中心軸に傾けられる乳房の側面の飲用孔を有する歯科矯正学的に成形された乳首に適していない。    
【０００８】
ＷＯ９８／１５４６３Ａ１には、乳首およびカバーキャップを備えた哺乳瓶が開示されている。底部でカバーキャップは突起を有し、それは下方へ突出し、乳房頂上で飲用孔を密封する。この構造は、乳房の傾斜した側面に飲用孔を有する歯科矯正乳首に適していない。
【特許文献１】ドイツ国特許第３３３７２４８Ａ１
【特許文献２】スイス国特許第２６１５０１Ａ
【特許文献３】米国特許第５，４１９，４４５Ａ
【特許文献４】米国特許第２，５７９，１９４Ａ
【特許文献５】国際公開ＷＯ９９／０３４４２Ａ１
【特許文献６】欧州特許ＥＰ０５２７０９４Ａ１
【特許文献７】ドイツ国特許第９２１４４３８Ｕ１
【特許文献８】ドイツ国特許第９３１８６９９Ｕ１
【特許文献９】ドイツ国特許第２０００９８７３Ｕ１
【特許文献１０】国際公開ＷＯ９８／１５４６３Ａ１
【発明の開示】
【発明が解決しようとする課題】
【０００９】
このことから、本発明の目的は、より簡単で、かつ、より確実に歯科矯正学的に成形された乳首を密封することができる哺乳瓶を利用可能にすることである。
【課題を解決するための手段】
【００１０】
この目的は、請求項１に記載の特徴を有する哺乳瓶により達成される。この哺乳瓶の有利な実施形態は、従属項に示されている。
【００１１】
本発明は、特に乳児および小さな子供の授乳用の哺乳瓶であって、以下の構成を有する、
開口と開口周りに雄ねじを揺する瓶と、
固定エッジを備えた乳房キャリアを有し、当該乳房キャリア上で側面に飲用孔を有する乳首と、
瓶開口に乳首を取り付けるために乳首の固定エッジとの連結手段としての雄ねじにねじ込むための雌ねじを有するリングナットと、
乳首に着座可能なカバーキャップを備え、当該カバーキャップは、その着座位置で飲用孔を有する乳房の側面に対して側壁の内側で押圧してシールを形成するとともに、その底部の内側で乳房の側面の反対側を押圧し、固定エッジの中心軸に対して鋭角に位置合わせされている。
【００１２】
本発明の哺乳瓶の場合、乳首の乳房が、固定エッジから遠いカバーキャップの側壁と底部の間の角領域でその先端を保持される。側壁は、飲用孔を有する乳房の側面と接触する位置にある。底部は、乳房の反対側の側面と接触する位置にある。それ故に、カバーキャップの側壁によって飲用孔を有する側面に生じる力は、カバーキャップの底部で乳首の反対側を通じて支持される。したがって、側壁は、特に高い接触力で飲用孔のエッジ領域と接触するので、エッジ領域と側壁の間に非常に良好なシールが形成される。カバーキャップの側壁と底部の間の角領域の乳房の位置合わせは、乳首が乳房を有することによって達成される。つまり、荷重のかかっていないときに乳房キャリアの固定エッジの中心軸に鋭角に位置合わせされる。乳房を有する乳首の場合、無荷重の状態で中心軸に配置され、所定位置に置かれたカバーキャップによって固定壁に鋭角に曲げられる方向の力が乳房にかかることによって達成される。カバーキャップが所定位置に置かれたとき、乳首の先端は、カバーキャップの底部と側壁の間で強制され、飲用孔が確実に密閉される。
【００１３】
飲用孔は、円形孔または長穴として設けられている。乳首は、単一の飲用孔だけを有するのが好ましい。しかしながら、乳首は、いくつかの飲用孔を有することも可能である。この場合、記載されている方法で同時に複数個の飲用孔が密閉される。
【００１４】
乳房の先端は、種々方法で構成可能である。ある構造によれば、乳房は、飲用孔を有する一方の側面に外向きに湾曲した比較的大きいまたは小さい曲率半径と、反対側の外側面で平坦または大きい曲率半径によって凹状にわずかに湾曲し、これらの間に、比較的小さい移行半径を有する。さらなる構造によれば、飲用孔は、固定エッジの中心軸から間隔をおいて配置される乳房に対向する側面に配置されている。
【００１５】
さらな実施形態によれば、特に飲用孔上のカバーキャップの当接面を適切に案内し、カバーキャップは、円錐形の外壁および／または杯形底部を有する。すなわち、杯形底部は、カバーキャップの内部へと内向きに湾曲していることが好ましい。カバーキャップの底部と側壁の間の渡りは、面取りされていることが好ましい。上記のように、このカバーキャップが先端に構成される乳房に相互作用する場合、シーリングは特に有効である。
【００１６】
カバーキャップは、リングナットで着脱可能に保持される。例えば、カバーキャップとリングナットは、相互に対応する支圧面積を有し、リングナット上でカバーキャップの締め付けシートまたは接着力のないシートをなす。ある実施形態によれば、リングナットおよびカバーキャップは、リングナットにカバーキャップを係止するために相互作用する錠締め要素を有する。
【００１７】
カバーキャップで飲用孔を特に確実に密閉するさらなる実施形態によれば、飲用孔の流路が、カバーキャップの側壁に垂直に位置合わせされる。したがって、飲用孔のエッジ領域は、カバーキャップの側壁と接触し、一体となってシールを構成する。
【００１８】
ある実施形態によれば、飲用孔を有する側壁は、接触する側壁の内側よりも小さい曲率半径を有し、および／または、反対側の側面は、当該側面を押圧する底部の内側よりも大きい曲率半径を有する。これは、乳房とカバーキャップの間の接触領域を通して少なくとも一つの断面の曲率半径に正しく合わされることと同じである。例えば、この場合、一つの垂直断面の少なくとも一つの曲率半径である。この場合、いくつかの断面の曲率半径、さらには全ての断面の曲率半径である。これによって、飲用孔周りへの二次元的な加圧が生じ、乳房の反対側の側面に反発力を生じさせる。
【００１９】
乳首の乳房キャリアは、種々の方法で構成可能である。ある実施形態によれば、例えば、固定壁に隣接して成形されるベローズであり、くびれと当該くびれに隣接する膨らみを有する。乳首は、いくつかの連続的なくびれと膨らみを有することもできる。他の実施形態によれば、乳房キャリアは僧帽形またはベル型であるので、乳房キャリアから始まり、着座された乳首の頂部まで徐々に先細りになっている。
【００２０】
さらなる実施形態によれば、乳房キャリアは、固定エッジの中心軸周りに溝を有する。増加した柔軟性は、僧帽形乳房キャリアに特に設けられる。
【００２１】
さらなる実施形態によれば、乳首は、一体化されたセキュリティ・スレッドを有し、当該セキュリティ・スレッドは、固定エッジから乳房の先端まで伸びている。これらの手段によって、乳首は、耐久性を備える。乳首がシリコーンゴムから構成されている場合、セキュリティ・スレッドが乳首の一部が引き離されるのを防止するので、セキュリティ・スレッドは、特に有益である。
【００２２】
さらなる実施形態によれば、セキュリティ・スレッドは、固定エッジから飲用孔まで伸びている。セキュリティ・スレッドは、強制的および／または非強制的および／または接着的な乳首と接合させることができる。強制的な接合は、例えば、乳首の材料にセキュリティ・スレッドを部分的または完全に埋込むことによって可能である。完全に埋め込んだセキュリティ・スレッドは、乳首の材料によって全体を包囲される。非強制的な接合は、乳首の溝にセキュリティ・スレッドを押圧することによって生じさせることができる。セキュリティ・スレッドと乳首の間の接着剤による接合は、当該間の接合領域を溶融または架橋結合させることによって達成させることが好ましい。セキュリティ・スレッドを乳首に密閉することは、接着的な接合を生じることのさらなる可能性がある。好ましくは、乳首は塑性材料からなり、セキュリティ・スレッドおよび／またはリングナットと共に溶融または架橋結合させることが可能である。好ましくは、乳首は、セキュリティ・スレッドと共に、または、マルチ構成部品射出成形プロセスでリングナットと共に任意選択で製造される。
【００２３】
基本的に、乳首およびリングナットは、互いに個別の構成される。この実施態様の一例の場合、リングナットは、固定エッジを瓶の開口端に圧接するために内向きに突出した環状フランジと、乳首の乳房および乳首キャリアを挿入するための中央挿入開口を有する。
この実施形態では、乳首は、リングナットと瓶開口端の間の固定エッジで固定される。
【００２４】
他の実施形態によれば、乳首は、リングナットを有する固定エッジで、堅く接合される。リングナットと一体接合された乳首は、特にマルチ構成部品射出成形プロセスで製造可能である。乳首は、リングナットによって、強制的および／または非強制的および／または接着的に接合させることができる。強制的な接合は、乳首およびリングナットを強制的に交合することによって達成可能である。乳首とリングナットが異なるプラスチックから作り出されるという点で、例えば、乳首とリングナットとの非強制的な接合は達成可能であり、内部を固定するように、射出成形の後、下部の収縮部分の少なくとも一部でより高い収縮率を有する部分を備える。乳首の可塑物とリングナットの可塑物が接触面で互いに溶融または架橋結合されるように選択されるという点で、乳首とリングナットは互いに接着接合可能である。さらにまた、接着剤による接着接合が可能である。このようにして、乳首とリングナットの非常に安定した接合を生じさせることができる。
【００２５】
さらに有利な実施形態によれば、セキュリティ・スレッドはリングナットに固着されるので、セキュリティ・スレッドはリングナットによって強制的に接合される。好都合にも、乳首は、軟質または柔らかい弾性体で製造され、リングナットと瓶は、より固い材料から製造される。
【００２６】
異なる柔らかい弾性材料は、乳首にとって重要である。例えば、天然または合成ゴムまたは異なる弾性体を使うことができる。さらなる実施形態によれば、軟弾力性プラスチックは、熱可塑性エラストマである。好都合にも、熱可塑性エラストマは、射出成形によって製造可能である。熱可塑性エラストマは多相プラスチックでもよく、それは、成形可能な分子領域のゴム弾性を有し、アモルファス熱可塑性材料の領域が組み込まれる。したがって、それらは熱可塑的に成型することが可能であり、同時に望ましい弾性を有する。
【００２７】
セキュリティ・スレッドは、種々方法で構成可能である。セキュリティ・スレッドは、例えば、いくつかの繊維を互い接合または捻回された糸またはテープまたはストリップである。テープまたはストリップは、１枚のプラスチックであることが好ましい。セキュリティ・スレッドとリングナット間の強い接合は、強制的および／または、非強制的および／または、接着性でもよい。強制的な接合のために、セキュリティ・スレッドは、例えば、リングナットの材料の厚くなる端に固定される。非強制的な接合のために、セキュリティ・スレッドの端は、リングナットの受口に押圧される。接着性の接合のために、セキュリティ・スレッドは、架橋結合および／またはリングの材料にナットを接着することによって少なくとも一端で接合される。
【００２８】
好ましくは、セキュリティ・スレッドは、可塑物から成る。特に、セキュリティ・スレッドは、リングナットと同じ可塑物で構成することができる。これは、セキュリティ・スレッドが、リングナットと一体的に構成または後者の接着的に接合されている場合に特に好ましい。セキュリティ・スレッドは、ポリプロピレンから成ることが好ましい。
【００２９】
乳首は、さらにスロット弁のようなバルブを備え、同じ気圧になるように空気を取り込むことができるようにすることが好ましい。
【００３０】
以下に例示的な実施形態の添付の図面を参照して本発明をさらに詳細に説明する。
【発明を実施するための最良の形態】
【００３１】
以下の例示的な実施形態のそれぞれの説明では、哺乳瓶の相互に共通する部品には同じ参照符号が付され、さらなる実施形態の参照番号には「’」または「”」が付されている。
【００３２】
図１の配置は、ベローズ形の乳房キャリア２、括れ３、膨隆４および環状ディスク形固定エッジ５を有する乳首１である。上部で、乳首キャリア２は、乳房６を担持し、乳頭部７およびいくらか収縮された括れ８を有する。乳房６は、固定エッジ５の中心軸９にラベル付けされた傾斜軸１０のように鋭角に傾けられている。乳房６は、荷重のかかっていない場合に中心軸９に対してこの傾斜角を有する。
【００３３】
食物を提供するとき、乳首６の傾斜した位置合わせは効果的である。
【００３４】
乳房６は、歯科矯正学的に成形される。中心軸９から間隔をおいて対向配置される乳頭部７の側面１１は、わずかに凸状に湾曲しているか、あるいは大きい曲率半径を有する。乳頭部７の側面１２は、中心軸９に対向して、わずかに凹状に湾曲している。上述した２つの側面１１、１２の間の移行領域は、より凸状に湾曲しているか、あるいは側面１１から向きがそれているより小さい曲率半径を有する。
【００３５】
向きがそれている側面１１に飲用孔１３があり、当該飲用孔１３は、包囲する乳首１の内部のキャビティ１４と連通している。
【００３６】
一方で、乳房キャリア２はバルブ１５を有し、当該バルブ１５によってキャビティ１４は周囲と連通させることができる。キャビティ１４に負圧がかかるとき、バルブ１５は開放される。バルブは、スロットバルブとして架設されることが好ましい。
【００３７】
さらに、配置は、わずかに円錐形のケーシング１７と瓶（図示せず）の雄ネジに対応して螺合するための雌ねじ１８を有するリングナット１６を備える。リングナット１６は種糸によって形成可能なので、一般の瓶に密着する。
【００３８】
ケーシング１７の上部で、リングナット１６は円形ディスク状の環状フランジ１９を有し、当該環状フランジ１９は、内向きに突出している。環状フランジ１９は、挿入開口２０の境界を構成する。乳房６および乳房キャリア２を有する乳首１は、挿入開口２０に挿入され、当該挿入開口２０の範囲内に括れ３が正確に配置される。さらに、リングナット１６が瓶の雄ネジに螺合されるとき、固定エッジ５が環状フランジ１９の下にあるので、当該環状フランジ１９によって瓶開口端に固定エッジ５が圧接される。
【００３９】
リングナット１６は、外部領域を一周する固定溝２１を備える。さらにまた、当該配置は、下端でわずかに円錐形の側壁２３を有するカバーキャップ２２が、内向きに突出している錠締めビード２４を備え、当該錠締めビード２４が、リングナット１６の固定溝２１にはめ込めることが可能になっている。
【００４０】
カバーキャップ２２は、内向きにアーチ型の杯形底部２５を有する。杯形底部２５の移行地域は、円錐形の側壁２３の方向に面取りされている。杯形底部は、中心軸９に対して対称的である。面取りは、中心軸９周りにされている。
【００４１】
カバーキャップ２２が、リングナット１６にはめ込まれるとき、中心軸９に対向して、杯形底部２５が乳頭部７の側面１２を押圧するとともに、側壁２３が側面１１を押圧し、乳頭部７の向きがそれる。したがって、乳頭部７は、底部２５と側壁２３の間に強制される。さらに、乳頭部７は、カバーキャップ２２の杯形底部２５と円錐形の側壁２３の間の面取り部分の峰領域に保持される。図１によれば、カバーキャップ２２の面取り部分の内側輪郭および乳頭部７の峰領域の外側輪郭は互いに略一致するので、これらの領域が互いに接触する。飲用孔１３は、乳頭部７に配置されている。つまり、乳頭部７は、側壁２３に略垂直で、かつ、エッジ領域がシールを形成するように飲用孔１３周りの側壁２３に押圧するように位置合わせされている。
【００４２】
図２によれば、飲用孔１３周りで規定した押圧面を生じさせるために、飲用孔１３のある側面１１は、側壁２３より垂直断面内で小さい曲率半径を有する。さらに、飲用孔１３に対向する側壁１２で規定の押圧を得るために、側壁１２は、底部２５に接触する領域が底部２５の曲率半径よりも大きい。
【００４３】
したがって、カバーキャップ２２は、乳頭部７の形状を閉じ込め、シールを構成するために、カバーキャップ２２の上部角部に乳頭部７を押圧する。
【００４４】
図３の構造は、特に乳首１’がリングナット１６’に一体成形されている点で上述した実施例と異なる。乳首１の固定エッジ５’は、リングナット１６’の上縁部２６’で接合されている。リングナット１６’は、例えばポリプロピレンから成り、乳首１’は熱可塑性エラストマ、例えばポリプロピレンを主成分としたものからなり、当該乳首１’が、リングナット１６’の材料によって架橋結合されている。
【００４５】
さらに、リングナット１６’と一体構成された乳首１’の乳房キャリア２’は、僧帽形状を有する。
【００４６】
カバーキャップ２２’と同様に乳房６’および飲用孔１３’は、先の実施形態と同様に構成されている。特に、乳首１に荷重がかかっていない場合、乳房６’は、中心軸９’に対して傾けられる。乳頭部７’上のカバーキャップ２２’の底部２５と側壁２３の間の角部に乳頭部７’が入り込む窪みが形成され、飲用孔１３は密閉される。
【００４７】
図４から図６の実施形態は、特に、リングナット１６”と一体成形された柔らかい弾性材の乳首１”が、固定エッジ５”の中心軸９”上の乳房６”に荷重をかけない状態で位置合わせされた点で図２の実施形態と異なる。したがって、変形させない状態で、乳首１”は通常のまっすぐな位置合わせがされる。それは多くのユーザによく知られている。
【００４８】
乳首キャリア２”は、周縁溝２９”または圧力平衡溝を有する。さらに、セキュリティ・スレッド２７”は、乳首１”に埋込まれている。このセキュリティ・スレッド２７”は、乳首１”の一方のリングナット１６”の上端縁２６”から乳房キャリア２”および乳房６”を通って飲用孔１３”までと、当該飲用孔１３”を挟んで反対側の乳房６”と乳房キャリア２”を通ってリングナット１６”まで延びている。両端で、セキュリティ・スレッド２７”は、リングナット１６”によって強制的に接合されている。セキュリティ・スレッド１６”は軟質材料から成るので、乳首１”とともに変形する。
【００４９】
飲用孔１３”の領域において、セキュリティ・スレッド２７”は、そこで利用可能な所要強度を得るために、拡張部２８”を有する。
【００５０】
乳首１”、リングナット１６”およびセキュリティ・スレッド２７”は、接触領域で互い溶融または架橋結合させることが可能な材料から成ることが好ましい。図６によれば、セキュリティ・スレッド２７”は、乳首１”の内部を外側に架橋結合させられる。
【００５１】
カバーフード２２”が所定位置に載置されるとき、この構造の乳頭部７”は、エッジ領域に内向きに湾曲した底部２５”でスライドされる。その結果、飲用孔１３”を有する側面１１”は、シールの形成に利用するカバーキャップ２２”の側壁２３”と接触する。中心軸９”に対する乳房６”の回転は、溝２９”によって容易になる。
【図面の簡単な説明】
【００５２】
【図１】ベローズ形の乳房キャリアを有する歯科矯正乳首とリングナットの乳房が中心軸に鋭角で位置合わせされてリングナットに嵌め込まれた乳首と、乳房を嵌め込んだカバーキャップの垂直面を示す。
【図２】図１の乳首およびカバーキャップの線ＩＩ−ＩＩに沿った垂直方向を示す拡大部分断面図である。
【図３】カバーキャップの取り付けられた固定エッジの中心軸に鋭角に位置合わせされた乳房キャリアと乳房を備えた歯科矯正乳首を示す縦断面である。
【図４】リングナットの一部に接続されるとともに、固定エッジの中心軸に位置合わせされた全周溝、セキュリティ・スレッドおよび乳房を備えた僧帽形乳首キャリアを有する歯科矯正乳首を示す側面図である。
【図５】飲用孔を周設する乳房の詳細図に同じ乳首を示している。
【図６】拡大されたの同じ乳首の乳房の括れを示す部分水平断面である。
【図１】
2011527585.tif 000003
【図２】
2011527585.tif 000004
【図３】
2011527585.tif 000005
【図４】
2011527585.tif 000006
【図５】
2011527585.tif 000007
【図６】
2011527585.tif 000008
【国際調査報告】
2011527585.tif 000009
2011527585.tif 000010
2011527585.tif 000011
2011527585.tif 000012